(57)【特許請求の範囲】
【請求項１】
着用者の口、および鼻の少なくとも一部を覆うように構成されたマスク本体部と、
前記マスク本体部の内面に形成された密封された圧縮性クッションであって、使用時には使用者の顔に接触する圧縮性クッションとを有し、
前記クッションの中央部は、前記マスク本体部の上部周縁の中央部に近接して配置され、
前記クッションは、柔軟かつ湾曲部に適合できるように部分的に流体が充填されていることを特徴とするフェイスマスク。
【請求項２】
前記クッションは、２枚のＥＶＡ（エチレンビニルアセテート）フィルムで構成されることを特徴とする請求項１に記載のフェイスマスク。
【請求項３】
前記クッションは、ポリエチレン（ＰＥ）フィルムで構成されることを特徴とする請求項１に記載のフェイスマスク。
【請求項４】
前記クッションは、ポリエチレン（ＰＥ）を含む積層体で構成されることを特徴とする請求項１に記載のフェイスマスク。
【請求項５】
前記クッションは、前記マスク本体部に取り付けられ、
前記クッションの中央部は、前記マスク本体部の上部周縁の中央部に近接して配置されることを特徴とする請求項１に記載のフェイスマスク。
【請求項６】
前記マスク本体部はさらに、前記マスク本体部の上部周縁の中央部に近接する前記マスク本体部の内面に配置された固定部材を備え、
前記固定部材は、前記固定部材に挿入された前記クッションの一部を受容し、固定するように構成されていることを特徴とする請求項１に記載のフェイスマスク。
【請求項７】
前記クッションは、２つの隣接する多角形が中央部で結合した形状を有するフィルムまたはシートで構成されることを特徴とする請求項１に記載のフェイスマスク。
【請求項８】
前記多角形は、台形であることを特徴とする請求項７に記載のフェイスマスク。
【請求項９】
前記クッションは、２つの幅広な横ポケット部を備え、前記横ポケット部は、前記クッションの中央部よりも体積が大きく、
前記中央部は、着用者の鼻梁を覆うように構成され、前記２つの横ポケット部は、着用者の鼻側に配置され、着用者の頬上部と眼窩の間の部分を密封するように構成されていることを特徴とする請求項１に記載のフェイスマスク。
【請求項１０】
前記クッションには、部分的に流体が充填されていることを特徴とする請求項１に記載のフェイスマスク。
【請求項１１】
前記マスク本体部は、不織布層で構成されることを特徴とする請求項１に記載のフェイスマスク。
【請求項１２】
前記マスク本体部は、３つの機能層を備えることを特徴とする請求項１１に記載のフェイスマスク。
【請求項１３】
前記マスク本体部は、一連の折り目を有することを特徴とする請求項１に記載のフェイスマスク。
【請求項１４】
前記折り目は、前記マスク本体部の幅方向に沿って形成され、端部が互いに溶接された折り目の層であることを特徴とする請求項１３に記載のフェイスマスク。
【請求項１５】
前記クッションはさらに、一方向充填バルブを備えることを特徴とする請求項１に記載のフェイスマスク。
【請求項１６】
着用者の口、および鼻の少なくとも一部を覆うように構成されたマスク本体部と、
前記マスク本体部の内面に形成され、柔軟かつ湾曲部に適合できるように部分的に流体が充填された１つまたは複数の密封された圧縮性クッションであって、使用時には使用者の顔に接触する圧縮性クッションとを有し、
前記クッションは、前記マスク本体部の周縁の一部にわたって伸びることを特徴とするフェイスマスク。
【請求項１７】
前記フェイスマスクは、前記マスク本体部の上部周縁の中央部において接続された２つの圧縮性クッションを有することを特徴とする請求項１６に記載のフェイスマスク。
【請求項１８】
前記クッションは、前記マスク本体部の周縁の全体にわたって伸びることを特徴とする請求項１６に記載のフェイスマスク。
【請求項１９】
前記マスク本体部の両側に配置された２つの挿通チャネルに挿通された単一の調整可能な弾性紐と、
前記弾性紐の端部が挿通され、前記弾性紐を必要な長さで固定するように構成された締結バックルをと有することを特徴とする請求項１に記載のフェイスマスク。
【請求項２０】
前記弾性紐は、ポリエステル、ライクラおよびゴムからなる群から選択された材料により構成されることを特徴とする請求項１９に記載のフェイスマスク。
【請求項２１】
前記挿通チャネルに取り付けられたグリップタブをさらに有することを特徴とする請求項１９に記載のフェイスマスク。
【請求項２２】
前記挿通チャネルおよびグリップタブは、プラスチック射出成形により形成され、
前記挿通チャネルは、前記マスク本体部の両側端部に溶接されることを特徴とする請求項１９に記載のフェイスマスク。
【請求項２３】
前記挿通チャネルおよびグリップタブは、不織布で構成されることを特徴とする請求項１９に記載のフェイスマスク。
【請求項２４】
前記挿通チャネルおよびグリップタブは、前記マスク本体部と同じ材料で構成され、かつ、前記マスク本体部の一部であることを特徴とする請求項１９に記載のフェイスマスク。
【請求項２５】
前記挿通チャネルおよび前記グリップタブは、強度を高めるために溶接されていることを特徴とする請求項２４に記載のフェイスマスク。
【発明の詳細な説明】
【技術分野】
【０００１】
本発明は、個人用使い捨て保護マスクの分野に関する。特に、本発明は、濾過により微細粒子の通過を防止することが可能な使い捨てマスクに関する。
【背景技術】
【０００２】
個人用使い捨て保護マスクを用いることは、本技術分野において周知である。例えば、上記マスクは、木材、金属および／またはポリマー材料の処理が行われる作業場や工場などの工業的環境において、作業員が塵埃、おがくず、削りくずなどの潜在的に有害な粒子状物質を吸い込まないよう保護するために使用される。このようなケースでは、マスクは、口と鼻を比較的緩やかに覆い、約９５〜９９％の濾過レベルを実現できれば十分である。
【０００３】
しかしながら、他のケースでは、例えば放射性粒子および／または細菌やウイルスなどの病原体といった微小な粒子状物質の侵入を防止するために、マスクの周縁部がユーザの顔に完全に密着することが極めて重要である。これらの種類の粒子状物質、特に病原体は、微小粒子の雲の形態で大気に拡散することから、このような粒子の侵入を防止するために、マスクは周縁部の全体にわたって密封されることが必要である。
【０００４】
このタイプのマスクは、医療および防衛施設の両方において特に重要である。すなわち、前者では病原体の人から人への拡散を防止するため、後者では、例えば戦時中あるいはテロ攻撃において使用される生物兵器の潜在的な致死効果から使用者を保護するために、上記マスクが用いられる。このタイプのマスクは、安全および工業用途にも有用である。
【０００５】
０．３ミクロン以上の大きさの粒子によって運ばれる有害な生物学的因子から使用者を効果的に保護するために、本発明に係るマスクは、少なくとも以下の２つの本質的な特徴を有する。（ａ）マスクの周縁部から有害な因子が侵入するのを防ぐために、マスクの周縁部全体が、少なくとも鼻と口を完全に覆うように、使用者の顔に十分に密着されている。特に、マスクは、個々の人体測定上の差に関わらず、すべての使用者の顔に対して、その周縁部で高い密着係数を有する気密封止を提供できる必要がある。例えば、会話をしているときなど、いかなる動作状態においても、濾過媒体のみを通じてマスクの内部と外部の間で通気が行われるように、効果的な密封を実現する必要がある。（ｂ）本発明に係るマスクは、鼻孔および口が完全に覆っているにも関わらず、使用者の呼吸を妨げない。
【０００６】
新しい粒子濾過マスクの必要性は、従来技術が、上述の特性、すなわち、周縁部の密封に関する欠陥を有することを示すいくつかの知見に基づくものである。従来のマスクの多くが、鼻梁と頬骨の上部の間に、潜在的に密着が不十分で空気漏れが生じやすい脆弱部を有する。上記脆弱部は、複雑に湾曲しており、密着を困難にする。また、使用者が眼鏡を着用している場合、空気漏れは上記部分から上方に向かって生じ、眼鏡を曇らせるため、使用者に不快感を与える原因となる。
【０００７】
従来技術における解決策の一例として、米国特許出願第２０１１／００９４５１５号には、ハーネスおよび上記ハーネスに接合されたマスク本体を有する呼吸用マスクが開示されている。上記マスク本体は不織布材料からなる複数の層を備える濾過構造を有する。上記不織布材料の層は、厚さＡを有し、０．５〜６Ａ離間された少なくとも２つの平行な溶接線によって溶接されている。
【０００８】
米国特許出願第２０１０／０１５４８０５号には、人間の呼吸通路上に着用される平坦折り畳み式フィルタ顔面装着呼吸マスクが開示されている。上記マスクのマスク本体フィルタ構造、およびマスク本体の側面にマスク本体から突出するように配置されたフランジを備える。
【０００９】
米国特許出願第２０１２／００９７１６７号には、鼻クッションを有するマスクが開示されている。上記マスクは、塵埃を濾過するフィルタからなり、上記フィルタの端部は鼻側の凹みを覆うフラップを形成するように折り返されている。上記フラップの内側に貼付されたウレタンフォームからなるスポンジが鼻部の輪郭に適合することで、マスクの密着性を向上させている。
【００１０】
米国特許第４３８４５７７号には、マスクの着用者により使用される光学的補助具または装置の曇りや被りを防止するための防湿剤を有する外科用マスクが開示されている。上記防湿剤は、マスク上端と着用者の顔の間に、細長い柔軟な独立気泡フォーム材からなる、輪郭に適合したストリップを備える。
【００１１】
米国特許第４３８４５７７号には、着用者の口と鼻を覆うように略カップ形状に形成された、複数の不織布からなる吸入空気を濾過するためのフェイスマスクが開示されている。上記マスクは、着用者の鼻梁に沿うように配置された鼻梁部と、鼻側に密着するように鼻梁部の両側に配置された鼻パッド部と、鼻梁部および鼻パッド部の下部に配置された中央部とを有する。
【００１２】
米国特許第４６４１６４５号には、複数の繊維からなる多孔質シートで形成されたフェイスマスクが開示されている。上記マスクは、着用者の口と鼻を覆う略カップ形状のシェルからなり、着用時にはマスクに取り付けられた弾性紐を着用者の頭の後ろに通すことで固定される。上記マスクは、マスクを通過する呼吸空気を濾過する。上記マスクは、マスクの端部を強固に圧縮して成形される。上記マスクは、マスクの端部に平行かつ近接する鼻梁部の両側に配置された後方突出部を特徴とする。
【００１３】
米国特許第４３１９５６７号には、複数の繊維からなり、着用者の口と鼻を覆うように略カップ形状に形成された呼吸空気を濾過するためのフェイスマスクが開示されている。上記マスクは、鼻梁部と、着用者の鼻側および頬骨に密着するように鼻梁部の両側に配置された鼻パッド部と、鼻梁部および鼻パッド部の下部に配置された中央部とを有する。
【００１４】
しかしながら、上述の従来技術はいずれも、十分に効果的な周縁部の密封を提供でき、かつ、様々な顔の大きさに適用可能なマスクを開示していない。したがって、周縁部の密着を改善した使い捨てフェイスマスクの要求が高まっている。本発明の目的は、上記要求を満たすフェイスマスクを提供することである。
【００１５】
すなわち、本発明の目的は、安全な呼吸を確保しつつ、使用者の顔に効果的に密着させることが可能なフェイスマスクを提供することである。
【００１６】
本発明の他の目的および利点は、以下の記載により明らかとなる。
【発明の概要】
【発明が解決しようとする課題】
【００１７】
本発明は、特に生物学的因子の通過を防止するための高い濾過性能を有するマスクに関する。本マスクは、使用者の顔に容易に適用でき、かつ長期間快適に使用することが可能な構造を有する。本マスクは、呼吸抵抗が低いため、使用者はマスク使用時においても容易に呼吸を行うことができる。本マスクは、マスク本体の周縁を使用者の顔に完全に密着することができる。本発明に係るマスクは、使用者が上記密着状態を損なうことなく、話したり、顔を動かしたりすることを可能とする。本発明に係るマスクは、使用者の視野を妨げることがなく、かつ、眼鏡や他の医療機器とともに使用することができる。
【００１８】
本発明は、空気の漏れが生じやすい部分における密着を補助するために、マスク本体の端部の１つまたは複数の箇所にクッションを備えたマスクに関する。本発明に係るマスクは、大きさや構造の異なる様々な顔に適合でき、かつ効果的な密封を実現できるように構成されている。
【課題を解決するための手段】
【００１９】
本発明は、（ａ）着用者の口と、鼻の少なくとも一部を覆うように構成されたマスク本体部と、（ｂ）前記マスク本体部の内面に形成された密封された圧縮性クッションとを有し、前記クッションの中央部は、前記マスク本体部の上部周縁の中央部に近接して配置され、前記クッションは、少なくとも部分的に流体が充填されていることを特徴とするフェイスマスクに関する。
【００２０】
好ましくは、前記クッションは、２枚のＥＶＡ（エチレンビニルアセテート）フィルム、ポリエチレン（ＰＥ）フィルム、またはポリエチレン（ＰＥ）を含む積層体で構成される。
【００２１】
好ましくは、前記クッションは、前記マスク本体部に取り付けられ、前記クッションの中央部は、前記マスク本体部の上部周縁の中央部に近接して配置される。
【００２２】
好ましくは、前記マスク本体部はさらに、前記マスク本体部の上部周縁の中央部に近接する前記マスク本体部の内面に配置された固定部材を備え、前記固定部材は、前記固定部材に挿入された前記クッションの一部を受容し、固定するように構成されている。
【００２３】
好ましくは、前記クッションは、２つの隣接する多角形が中央部で結合した形状を有するフィルムまたはシートで構成される。好ましくは、前記多角形は台形である。
【００２４】
好ましくは、前記クッションは、２つの幅広な横ポケット部を備え、前記横ポケット部は、前記クッションの中央部よりも体積が大きく、前記中央部は、着用者の鼻梁を覆うように構成され、前記２つの横ポケット部は、着用者の鼻側に配置され、着用者の頬上部と眼窩の間の部分を密封するように構成されている。
【００２５】
好ましくは、前記クッションには、部分的に流体が充填されている。
【００２６】
好ましくは、前記マスク本体部は、不織布層で構成される。
【００２７】
好ましくは、前記マスク本体部は、３つの機能層を備える。
【００２８】
好ましくは、前記マスク本体部は、一連の折り目を備える。
【００２９】
好ましくは、前記折り目は、前記マスク本体部の幅方向に沿って形成され、また、前記マスク本体部の一部を折り畳んで端部を相互に溶接することにより形成される。
【００３０】
好ましくは、本フェイスマスクは、第２の密封された圧縮性クッションをさらに有し、前記第１の密封された圧縮性クッションおよび前記第２の密封された圧縮性クッションは、前記マスク本体部の上部周縁の中央部において接続され、前記第２のクッションは、少なくとも部分的に流体が充填されている。
【００３１】
好ましくは、前記クッションは、一方向充填バルブをさらに備える。
【００３２】
本発明は、（ａ）着用者の口と、鼻の少なくとも一部を覆うように構成されたマスク本体部と、（ｂ）前記マスク本体部の内面に形成され、少なくとも部分的に流体が充填された１つまたは複数の密封された圧縮性クッションとを有し、前記クッションは、前記マスク本体部の周縁の一部にわたって延びることを特徴とするフェイスマスクに関する。
【００３３】
好ましくは、前記クッションは、前記マスク本体部の周縁の全体にわたって延びる。
【００３４】
本発明は、（ａ）着用者の口と、鼻の少なくとも一部を覆うように構成されたマスク本体部と、（ｂ）前記マスク本体部の両側に配置された２つの挿通チャネルに挿通された単一の調整可能な弾性紐と、（ｃ）前記弾性紐の端部が挿通され、前記弾性紐を必要な長さで固定するように構成された締結バックルをと有することを特徴とするフェイスマスクに関する。
【００３５】
好ましくは、本フェイスマスクは、前記マスク本体部の内面に形成され、流体が充填された、密封された圧縮性クッションをさらに有し、前記クッションの中央部は、前記マスク本体部の上部周縁の中央部に近接して配置されている。
【００３６】
好ましくは、前記弾性紐は、ポリエステル、ライクラおよびゴムからなる群から選択された材料により構成される。
【００３７】
好ましくは、本フェイスマスクは、前記挿通チャネルに取り付けられたグリップタブをさらに有する。
【００３８】
好ましくは、前記挿通チャネルおよびグリップタブは、プラスチック射出成形により形成され、前記挿通チャネルは、前記マスク本体部の両側端部に溶接される。
【００３９】
好ましくは、前記挿通チャネルおよびグリップタブは、不織布で構成される。
【００４０】
好ましくは、前記挿通チャネルおよびグリップタブは、前記マスク本体部と同じ材料で構成され、かつ、前記マスク本体部の一部である。
【００４１】
好ましくは、前記挿通チャネルおよび前記グリップタブは、強度を高めるために溶接されている。
【図面の簡単な説明】
【００４２】
以下、添付の図面に示された例を用いて本発明をする。図面において、共通の参照番号は同一の構成要素を示す。
【図１】図１は、従来技術に係るマスクを示す。
【図２Ａ】図２Ａは、本発明の一実施形態に係るクッションを示す。
【図２Ｂ】図２Ｂは、本発明の一実施形態に係るクッションを示す。
【図３ａ】図３ａは、本発明の一実施形態に係るクッションを示す。
【図３ｂ】図３ｂは、本発明の一実施形態に係るクッションを顔に配置する場合の位置の一例を示す。
【図４Ａ】図４Ａは、クッションを備えた本発明に係るマスクの一実施形態を示す。
【図４Ｂ】図４Ｂは、図４Ａの写真による例を示す。
【図５Ａ】図５Ａは、クッションを備えた本発明に係るマスクの一実施形態を示す。
【図５Ｂ】図５Ｂは、図５Ａの写真による例を示す。
【図５Ｃ】図５Ｃは、液体ゲルが充填されたクッションの写真による例を示す。
【図５Ｄ】図５Ｄは、図５Ｃの液体ゲルが充填されたクッションを備えた本発明に係るマスクの写真による例を示す。
【図６】図６は、折り目を備えた本発明に係るマスクの一実施形態を示す。
【図７ａ】図７ａは、弾性紐を備えた本発明に係るマスクの一実施形態を示す。
【図７ｂ】図７ｂは、弾性紐を備えた本発明に係るマスクの一実施形態を示す。
【図８】図８は、従来技術に係るマスクを示す。
【図９】図９は、本発明に係るマスクの装着手順の一例を示す。
【図１０】図１０は、ＦＩＴ係数に関する試験の結果を示す表である。
【図１１】図１１は、呼吸抵抗に関する試験の結果を示すグラフである。
【図１２】図１２は、マスクの周縁の全体にわたって延びるポーチを有する本発明に係るマスクの一実施形態を示す。
【図１３】図１３は、グリップタブに取り付けられた挿通チャネルを両側端部に備える本発明に係るマスクの一実施形態を示す。
【図１４】図１４は、グリップタブに取り付けられた挿通チャネルを両側端部に備える本発明に係るマスクの一実施形態を示す。
【図１５】図１５は、呼吸抵抗試験で用いた試験装置を示す。
【図１６】図１６は、呼吸抵抗試験で用いた試験装置を示す。
【発明を実施するための形態】
【００４３】
本発明は、主に、着用者の顔部の皮膚に周縁部を密着させることが可能なフェイスマスクに関する。先述のように、従来のマスクの多くは、鼻梁と頬骨の上部との間に、潜在的に密着が不十分であり、空気漏れが生じやすい脆弱部を含む。上記脆弱部は、複雑に湾曲した形態学的構造を有するため、密封が困難である。
【００４４】
上記問題を解決するため、多くのマスクが、図１に示すように、鼻梁の上部およびその鼻側部分に取り付けられた柔軟なストリップを備えている。上記ストリップは、アルミニウム等の柔軟な材料で構成され、皮膚の上に配置される。他の従来技術に係るマスクは、鼻の上部（鼻梁および上顎部）に堅く密着するように構成されている。これらのマスクは、着用者の顔の寸法や形状によって密着度が異なるため、すべての着用者に適用することができない。  
【００４５】
本発明に係るフェイスマスクは、マスク周縁の少なくとも一部に沿って配置された１つまたは複数の密封された圧縮性ポーチまたはクッション（本明細書において互換的に使用される）を有する。上記圧縮性ポーチの目的は、使用者の顔の形状および寸法に関わらず、マスク周縁の少なくとも一部が使用者の鼻梁および上部鼻側と接触する際に、それらの構造に容易に適合できるようにすることである。マスクを着用する際、上記圧縮性ポーチが密封されていない部分を埋め合わせ、マスクを効率的に顔の構造に適合させることで、最も効果的な密封を行うことができる。このようにして、本マスクの周縁部を使用者の顔に対して完全に密着させることができる。
【００４６】
本発明に係るフェイスマスクは、着用者の口、および鼻の少なくとも一部を覆うように構成されたマスク本体部を有する。本マスクはさらに、マスク本体部の内面に形成された圧縮性クッションを有し、クッションの中央部は、マスク本体部の上部周縁の中央部に近接して配置され、クッションには、少なくとも部分的に流体が充填されている。
【００４７】
本発明の好適な一実施形態において、上記少なくとも１つの密封された圧縮性ポーチは、１つまたは複数の空気充填クッションの形態を有する。他の実施形態において、圧縮性ポーチには、流体、液体ゲル、水、またはシリコン結晶が充填されている。他の好適な実施形態において、圧縮性ポーチには、空気が充填されている。さらに他の実施形態において、圧縮性ポーチは、他の固体、液体または気体が充填された材料あるいは混合物を含んでいてもよい。
【００４８】
本発明の好適な一実施形態において、圧縮性ポーチは、マスク装着時に鼻梁、および鼻の両側の上顎部を覆う皮膚に接触するように、マスクの上部周縁の中央部に形成されている。そのため、ポーチは、使用者の顔に接触するように構成されたマスク本体部の内側、すなわち近位側（使用者の顔から離れた外側（遠位側）とは反対側）に取り付けられている。
【００４９】
本発明の好適な一実施形態において、圧縮性ポーチは、左鼻側部から鼻梁を通過して左鼻側部まで延びる。本実施形態は、好ましくはマスクの上部周縁の中央部において接続された２つのポーチにより実施される。
【００５０】
本発明の一実施形態において、本マスクは、それぞれ５０〜２００ミクロン（好ましくは１１０ミクロン）の厚みを有する２枚のＥＶＡ（エチレンビニルアセテート）フィルム（またはシート）で構成されたクッションを有する。他の実施形態では、上記クッションは、４０〜１８０ミクロン（好ましくは１００ミクロン）の厚みを有するポリエチレン（ＰＥ）フィルム（またはシート）またはポリエチレン（ＰＥ）からなる積層体で構成される。
【００５１】
上記クッションは、ポーチフィルムの外形を有する真鍮フレーム内の２枚のＥＶＡフィルムの溶接（例えば、ＲＦ溶接や超音波溶接）により形成される。溶接されたフィルムの間には、流体（例えば、空気）が注入され、通常は５〜２０ｃｃの空気が、好ましくは８ｃｃの空気が注入される。流体の注入は注射器によって行われ、残った開孔部分は溶接される。これにより、クッションは完全に密封される。クッションは、マスク本体の内側上部に密封可能に取り付けられる。好ましくは、クッションはマスク本体の内側上部に接着される。本発明の一実施形態において、本マスクは、マスクの内側上部に配置され、クッションを受容して固定するように構成された、ポケットまたはループなどの固定部材を有する。
【００５２】
上記クッションを備えるフィルムは、好ましくは、２つの隣接する多角形（例えば、台形）が中央部で結合した形状を有する。図２Ａに示すような２つの隣接する台形が中央部で結合した形状は、その一例である。好ましくは、上記多角形の端部は、直線、または多角形の内側または外側に向かってわずかに凸状に湾曲した曲線である。
【００５３】
図２Ａに示す実施形態では、各台形の幅広な上底は、通常６０ｍｍ〜８０ｍｍであり、好ましくは７２ｍｍである。各台形の下底は、通常５ｍｍ〜１８ｍｍであり、好ましくは１５ｍｍである。台形の高さ（平行な上底と下底の間の距離）は、通常２０ｍｍ〜３５ｍｍであり、好ましくは２８ｍｍである。２つの下底の間の距離は、通常２６ｍｍ〜５０ｍｍであり、好ましくは３３ｍｍである。最も狭い垂直部分（鼻梁に密着するように構成された部分）の長さは、通常５ｍｍ〜１０ｍｍであり、好ましくは７ｍｍである。必要に応じ、２つの上底はそれぞれ、通常２．５ｍｍ〜４．５ｍｍ、好ましくは３．５ｍｍの半径を有する半円形の開口を備える。上記２つの半円開口の間の距離は、通常４０ｍｍ〜８０ｍｍ、好ましくは５８ｍｍである。
【００５４】
図２Ｂに示す実施形態では、クッションの幅が図２Ａに比べて小さく、辺の一部が円弧形状である。２つの台形の中央部の結合部分は、図１Ａのような直線ではなく、通常１５０〜１８０度、好ましくは１７５度の角度をなす。上底と外側脚部の間の角度は、通常３５〜６０度、好ましくは４７度である。内側脚部の間の角度は、通常６０〜１８０度、好ましくは１１２度である。下底は、半径が通常１５ｍｍ〜２０ｍｍ、好ましくは１９ｍｍの円弧形状を有する。クッションの全長は、通常１００ｍｍ〜１６０ｍｍ、好ましくは１２６ｍｍである。クッションの全高は、通常２０ｍｍ〜４０ｍｍ、好ましくは３０ｍｍである。
【００５５】
最も狭い垂直部分の長さは、通常５ｍｍ〜３５ｍｍであり、好ましくは１９ｍｍである。必要に応じ、２つの上底はそれぞれ、通常１ｍｍ〜１０ｍｍ、好ましくは６ｍｍの半径を有する半円形の開口を備える。上記２つの半円開口の間の距離は、通常４０ｍｍ〜８０ｍｍ、好ましくは６２ｍｍである。
【００５６】
図３Ａは、クッションの使用時における一般的な形状の一例を示す。上記クッションは、中央部６よりも大きな体積を有する２つの幅広な横ポケット部５を両側に備える。中央部６は、鼻梁に密着するように構成されている。２つの横ポケット部５は、鼻側に配置され、頬上部と眼窩の間の部分を密封するように構成されている。クッションの正しい位置の一例を、図３Ｂの斜線部７に示す。
【００５７】
図４Ａは、流体が充填されたクッション２７を有するマスクを示す。図４Ｂは、図４Ａの写真による例を示す。図５Ａは、上記クッションを有するマスク（以下、マスクは折り目を有するものとして説明する）と、流体が充填されたクッションの単独拡大図（左下）を示す。図５Ｂは、図５Ａの写真による例を示す。クッションはまた、いくつかの従来技術に係るマスクに存在するような、鼻にかかる不要な圧力を防ぐことができる。上記クッションを有するマスクは、クッションが人体計測上の違いに関わらず、あらゆるタイプの顔の構造に適合することで、効率的な密封を実現することができる。
【００５８】
図５Ｃは、液体ゲルが充填されたクッション２８の写真による一例を示す。図５Ｄは、液体ゲルが充填されたクッション２８を有する本発明に係るマスク５０の一実施形態の写真による一例を示す。
【００５９】
本発明の好適な一実施形態では、クッションは、流体が部分的に充填されることで、柔軟かつ湾曲部に適合可能である。そのため、マスクを着用する際、クッションを着用者の顔に効率的に適合させることができる。流体の一部は、クッションを圧縮または圧搾することで、１つの場所から他の場所（例えば、台形の左側部から右側部）へと移動させることができる。これにより、マスクの密封状態における潜在的な漏洩点となる間隙を埋めることができる。この機能は、マスクの鼻梁および鼻側部において完全な密封を形成するための補助となる。よって、着用者の顔が対称的でない場合であっても、流体の一部が一方の側部から他方の側部へ移動して上記効果をもたらすことで、両方の側部においてより効率的な密封を実現することができる。
【００６０】
例えば、着用者の鼻梁の右側部に突出した部分がある場合、上記突出部がある方のクッション側部内の流体の一部が他方の側部へ移動し、クッションが皮膚と隙間なく接触することで、より効率的な密封状態を形成する。すなわち、上記突出部により突出したクッションの右側部を埋め合わせるようにクッションの左側部が充填される（クッションの左側部はほとんど突出しない）ことで、上記効果および効率的な密封を実現する。
【００６１】
他の例では、着用者の鼻梁の右側部に凹みがある場合、上記凹部がある方とは反対側のクッション側部内の流体の一部が凹部を埋めるように他方の側部へ移動し、クッションが皮膚と隙間なく接触することで、より効率的な密封状態を形成する。すなわち、凹部により内側に凹んだクッションの右側部を埋め合わせるようにクッションの左側部が脱充填（例えば、部分的に空にする）される（クッションの左側部は皮膚に向かって内側にほとんど凹まない）ことで、上記効果および効率的な密封を実現する。
【００６２】
このように、クッションは、様々な大きさの顔に適合するように構成されることができる。
【００６３】
本発明の他の実施形態において、クッションには、使用者がクッションに流体（通常は空気）を充填できるようにするための一方向充填バルブを備えており、これにより最適かつ効率的な（あるいは快適な）密封状態を得るために必要な量の流体を充填することができる。クッションに流体を充填する際は、上記バルブに接続できるように構成されたポンプを用いる。クッションが必要なサイズまで膨らんだら、ポンプを取り外す。必要に応じ、ポンプをクッションの近くに配置し、充填後もその場に留置してもよい。また必要に応じ、クッションから流体を除去してもよい。また、着用者がマスク着用時に必要な量の流体を出し入れしてもよい。
【００６４】
本発明の好適な一実施形態において、本マスクは、マスク周縁の大部分にわたって延びる１つまたは複数の圧縮性ポーチを有する。いくつかの例では、１つまたは複数の圧縮性ポーチは、マスクの周縁の全体にわたって延びる。図１２は、マスクの周縁の全体にわたって延びるポーチ１０を有するマスクの例を示す。
【００６５】
マスク本体部は、通常、不織布層で構成される。下記表１は、本発明の一実施形態（３つの機能層を有する）における各層の構成を示す。これらの構成は、各層の機能的利点、製造方法、および材料的観点から見た効能からなる。
【００６６】
【表１】
0006492067.tif 000002
【００６７】
本発明の一実施形態ではマスクの全厚は、通常０．４ｍｍ〜１．５ｍｍであり、好ましくは０．８ｍｍである。
【００６８】
本発明に係るマスクは、０．３ミクロン以上の微粒子を９９％濾過することができる高水準の濾過性能（Ｎ-９９）を有する。本マスクの濾過係数（ＦＩＴ係数）は、少なくとも必要最小限の値１００を超えている。実際に、図１０の表は、実験により測定したＦＩＴ係数の値が１００を大きく超えることを示している。ＦＩＴ係数の値は、POTRACOUNT（登録商標） PRO PLUS 8038を用いた実験結果から求めた。本プロトコル実験では、７種類の運動、すなわち、(1)通常の呼吸、(2)深呼吸、(3)頭を両側に動かす、(4)頭を上に動かす、(5) 頭を下に動かす、(6)文章を音読する、(7)前傾姿勢をとりながら通常の呼吸、を行いながら測定した。さらなる詳細を下記表２に示す。
【００６９】
【表２】
0006492067.tif 000003
【００７０】
本発明に係るマスクは、使用者が容易かつ快適に装着し、取り付けることができるように構成されている。また、本マスクを着用していても、話し声の音量はほとんど小さくならない。また、本マスクを着用していても、視野を妨げられることはない。また、本マスクは、眼鏡や他の医療機器または保護器具（例えば、バイザー）とともに使用することができる。
【００７１】
本発明の他の実施形態では、マスク本体部はさらに、一連の折り目を有することを特徴とする。プリーツはマスクの柔軟性を高め、話したり、顔を動かしたときに密封が解除されるのを防止する。また、プリーツを備えることで、マスクの表面積が増大し、呼吸抵抗が低減するため、マスクの密封に影響を与えることなく使用者の呼吸を容易にすることができる。これにより、マスクの濾過性能が増大する。
【００７２】
折り目は、マスク本体部を折り目の層に折り込んで、互いの端部を溶接することに形成される。本発明の一実施形態では、折り目はマスクの幅方向に沿って形成され、その幅は、通常１７ｃｍ〜２５ｃｍであり、好ましくは２１ｃｍである。各折り目の高さは、通常２ｃｍ〜５ｃｍであり、好ましくは３．５ｃｍである。
【００７３】
図６は、折り目を有するマスクの一例を示す。右側の矢印９は、マスクの柔軟性、およびマスクの密封に影響を与えることなく話したり、顔を動かしたときのマスクの伸縮方向を示す。
【００７４】
吸排気は上記折り目部分を通じて行われるため、空気が通過する表面積が増大し、折り目を備えていないマスクと比較して呼吸抵抗を低減することができる。いくつかの例では、本マスクの通気表面積は、折り目を備えないマスクと比較して５０〜７０％増大する。本マスクでは、より広い表面を通じて空気が出入りするため、通気抵抗を低減することができる。同様に、濾過表面積が増大することで、マスクの濾過性能を高めることができる。呼吸抵抗の低減は、マスクを長時間着用する場合に特に重要である。
【００７５】
本発明の他の実施形態では、本フェイスマスクはさらに、マスクを使用者の頭および顔に適合させるための１本の調整可能な弾性紐を有する。本マスクの装着／取付手順を示す図７ａ、７ｂでは、マスク本体部の両側に配置された幅広なチャネル１１に１本の弾性紐が挿通されている。これにより２つの締結紐輪１３、１４が形成され、一方の輪１３は首の後部に配置されるように構成され、他方の輪１４は後頭部に配置されるように構成されている。弾性紐の端部には、紐輪による締め付けおよびマスクの位置を調節するための締結バックル１５が配置されている。締結バックル１５は、紐を必要な長さに開放／固定することができれば、本技術分野において知られているどのようなタイプのバックルであってもよい（例えば、スナップ／グリップバックル）。バックルを手動で固定モードから開放モードに切り替えることで、紐の締結を解除することができる。また、バックルを手動で開放モードから固定モードに切り替えることで、紐を必要な長さで固定（紐の移動を防止）することができる。上記紐を備えることで、使用者はマスクの締め付け力を自ら手動で制御することができるため、マスクの密着および機能を確実に実現することができる。
【００７６】
また、２方向（首および頭）の伸縮構造およびマスク両側部のチャネルを備えることにより、周縁部の密封をより効率化するとともに、首および頭にかかる圧力を均一にすることができる。
【００７７】
本発明の一実施形態において、弾性紐はゴムを備える。弾性紐の長さは、通常８０ｃｍ〜１３０ｃｍであり、好ましくは１０５ｃｍである。弾性紐の幅は、通常０．８ｃｍ〜１．２ｃｍであり、好ましくは１ｃｍである。弾性紐の重さは、通常５．４ｇ／ｍ〜６ｇ／ｍであり、好ましくは５．７ｇ／ｍである。弾性紐は、通常、元の長さの１２０％〜１５０％伸ばすことができる。本発明の一実施形態において、弾性紐は、７０％のポリエステルと３０％のライクラで構成される。バックル１５は、プラスチックからなる。着用時の快適性を確保するために、締結紐輪１３はパッド１６を備えていてもよい。
【００７８】
本発明に係るマスクは、単一の紐を備えることで、従来のマスクに対して大きな利点を有する。紐のいずれの箇所においても均等な張力がかかるため、マスクの密封を容易にすることができる。従来のマスクは、複数本の紐が溶接やステープルにより取り付けられており、その取り付け位置に張力がかかるため、マスク周縁部の密封状態が解除されやすい。図８は、従来技術に係るマスクの表側および裏側の例を示す。従来のマスクの紐は、ラテックスフリーなどの均質な不織布材料で構成されるため、最大限に引き伸ばされると伸縮性を失う傾向がある。本発明に係るマスクの紐は、伸縮性材料で構成され、また、マスクの端部に固定するのではなく単一の紐を用いているため、紐が裂けたり、マスクの一部が破損することを防止できる。
【００７９】
図９は、本発明に係るマスクの装着手順の一例を示す。
【００８０】
手順１ 
一方の手で紐の下部（図７ａに示すチャネル１１の下部）を、他方の手でマスクを持つ。使用者の首にかけるための紐輪を、バックルがチャネル１１に接触するまで引き出す。
【００８１】
手順２ 
上記紐の下部を首の後部にかける。
【００８２】
手順３ 
マスクを顔に付け、バックルを引っ張って上方紐輪を形成し、後頭部にかける。
【００８３】
手順４ 
バックルを用いて紐を引き締める。
【００８４】
手順５ 
マスクの密封状態を形成するために、下方紐輪の緩みを情報紐輪に移動させる。
【００８５】
手順６ 
再度バックルを用いて紐を引き締める。
【００８６】
手順７ 
マスクの密封状態を確認する。マスクが十分に密封されていない場合は、クッションが鼻梁の中央部に配置されるようにマスクの位置を微調整する。
【００８７】
本発明の一実施形態において、本マスクの両側端部には、グリップタブ３１に取り付けられた挿通チャネル３０が配置されている（図１３参照）。挿通チャネル３０には、マスクの紐をスムーズかつ自在に通すことができる。使用者は、グリップタブ３１を用いてマスクを顔に対して正確に対称的に配置し、安定させることができる。必要に応じ、挿通チャネル３０およびグリップタブ３１はプラスチック射出成形により形成され、マスクの両側端部の前面および後面に溶接される。あるいは、挿通チャネル３０およびグリップタブ３１は、不織布により構成されてもよい。挿通チャネル３０の断面は、円形または多角形の形状を有する。挿通チャネル３０の長さは、通常５ｃｍ〜７ｃｍ、好ましくは６ｃｍであり、幅は、通常２ｃｍ〜５ｃｍ、好ましくは３ｃｍである。
【００８８】
図１４は、挿通チャネル１３０およびグリップタブ１３１がマスクと同じ材料で構成され、かつマスク本体部の一部である実施形態を示す。本実施形態では、挿通チャネル１３０およびグリップタブ１３１は、強度を高めるために溶接される。
【００８９】
例１
本発明に係るマスクの粒子濾過／透過性能について、複数の被験者に対して試験を行った。試験結果では、本発明に係るマスクは、高く効率的な生物因子の濾過性能を示した。
【００９０】
図１０は、２種類の本発明に係るモデルのマスクと、３種類の従来のマスク製品について行った試験の結果を示す。被験者１人につきすべての種類のマスクについて試験を行った。
【００９１】
マスクの両面（内面および外面）について試験を行い、ＦＩＴ係数を求めた（国際規格に基づくＦＩＴ係数の基準値は、１００である）。本発明に係るモデルのマスクは、すべての試験で基準値を満たした。最も良好な結果が得られたのは、折り目を備えたモデルであり、ＦＩＴ係数は７９８であった（標準的なＣＢＲＮ（化学物質、生物物質、放射性物質、 核兵器）ガスマスクのＦＩＴ係数は１０００である）。  
【００９２】
例２
図１１は、本発明に係る２種類のモデルのマスク（一方は折り目を有するモデルであり、他方は折り目のないフラットカットモデルである）および従来のマスク製品の呼吸抵抗に関する試験結果を示すグラフである。本試験では、すべてのマスクについて人間の頭部の模型を用いた試験を行った。マスクの呼吸抵抗は、マスクを通過していない時の空気の流れの空気圧と、マスク通過時の空気の流れの空気圧との差を求めることにより算出した。
【００９３】
下記表３は、マスクの呼吸抵抗の欧州規格（EN149: 2001+A1）を示す。    
【００９４】
【表３】
0006492067.tif 000004
【００９５】
下記表４は、マスクの呼吸抵抗の米国規格（NIOSH: 42 CFR Part 84 Subpart k）を示す。        
【００９６】
【表４】
0006492067.tif 000005
【００９７】
上記表の数値は、図１１にも示されている。
【００９８】
図１５は、マスクの呼吸抵抗試験の試験装置の一例であり、試験の結果は図１１に示されている。頭部模型６０の顔部には、マスク１００が装着されている。空気流路の一端（右側）には、空気発生器（送風機）７０が取り付けられている。 電源生成部７１は、空気発生器７０に電力を供給する。空気流路の他端（左側）は、頭部模型６０の鼻孔に接続されている。２つの透明な立方体の箱６１Ｒおよび６１Ｌは、それぞれ一辺の長さが４０ｃｍであり、ステンレス鋼管６３を介して接続された、空気流路の一部である。左側の立方体箱６１Ｌは、管６７により模型６０に連結され、空気発生器７０は、右側の立方体箱６１Ｒに結合されている。ステンレス鋼管６３には、鋼管内を通過する空気の流量を測定するように構成された流量計６５が接続されている。流量計６５には、最大毎分３００リットルの測定が可能なKURTZインスツルメンツ社製のFT-24 510を用いた。また、鋼管６３には、鋼管内の空気圧を測定するように構成された圧力変換器６６が接続されている。圧力変換器６６には、最大１０Ｔｏｒｒの測定範囲を有するMSK USA社製のB223を用いた。
【００９９】
立方体箱６１Ｌ、６１Ｒの寸法は、空気流を直線状にするとともに、空気流路に沿った圧力降下を最小限にするように設定される。 鋼管６３の直径、および熱線式の流量計６５の使用は、鋼管６３に沿った圧力降下を最小限にするように設定される。空気流システムは、ドイツ規格DIN 24163に基づいて構成した。
【０１００】
本試験は、排気（排出空気流）と類似の手法、すなわち、空気発生器７０が右側の立方体箱６１Ｒ内に空気を吸引し、装置内の空気を鋼管６３を通じて左方向に移動させ、左側の立方体箱６１Ｌおよび管６７を経て頭部模型６０に流入させ、鼻孔からマスクを通過して排出させることにより行った。 図１６は、本試験における空気流の方向を示す（矢印）。
【０１０１】
また、本試験は、図１１の上側のグラフに示すように、様々な空気流量（８０、１２０、１６０および２００リットル／分）で実施した。装置内の空気圧は、圧力変換器６６により、マスク有りの場合とマスクなしの場合で一回ずつ測定した。両者（マスク有りの場合／マスクなしの場合）の空気圧の測定値の差が、求める呼吸抵抗である（圧力の単位はｍｍＨ２Ｏ）。
【０１０２】
本試験は、吸気（図示せず）と類似の手法により行った。まず、マスク１００が装着された頭部模型６０と空気発生器７０を交換し、管６７に空気発生器７０を接続して負圧を与える（空気流路内の空気を吸引する）ことで、空気流路内の空気を左方向へ移動させる。頭部模型６０を右側の立方体箱６１Ｒに連結すると、外部の空気がマスクを通過して鼻孔に入り込み、右側の立方体箱６１Ｒを経て空気流路に流入する。装置内の空気は鋼管６３を通じて左方向に移動し、左側の立方体箱６１Ｌおよび管６７を経て空気発生器７０に流入する。
【０１０３】
本試験は、図１１の下側のグラフに示すように、様々な空気流量（３０、６０、９０、１２０、１５０リットル／分）で実施した。（装置の）空気圧は、圧力変換器６６により、マスク有りの場合とマスクなしの場合で一回ずつ測定した。両者（マスク有りの場合／マスクなしの場合）の空気圧の測定値の差が、求める呼吸抵抗である（圧力の単位はｍｍＨ２Ｏ）。
【０１０４】
上述のように、本試験は３回、すなわち、マスク１００が従来のマスクである場合、マスク１００が本発明に係るマスクのフラットカットモデルである場合、および、マスク１００が本発明に係るマスクの折り目を有するモデルである場合について行った。本試験の結果を分析すると、本発明に係るマスクが、従来のマスクと比較して低い呼吸抵抗を有することは明らかである。また、本発明に係るマスクの呼吸抵抗は、米国および欧州の標準規格よりもはるかに低いものである。
【０１０５】
以上、本発明の実施形態の一部を例示して説明したが、本発明の実施に際しては、本発明の精神または特許請求の範囲から逸脱することなく、種々の修正、変形および適用を施し、多くの均等物または代替の解決策を用いることができることは、当業者において明らかである。  
【図１】
0006492067.tif 000006
【図２Ａ】
0006492067.tif 000007
【図２Ｂ】
0006492067.tif 000008
【図３ａ】
0006492067.tif 000009
【図３ｂ】
0006492067.tif 000010
【図４Ａ】
0006492067.tif 000011
【図４Ｂ】
0006492067.tif 000012
【図５Ａ】
0006492067.tif 000013
【図５Ｂ】
0006492067.tif 000014
【図５Ｃ】
0006492067.tif 000015
【図５Ｄ】
0006492067.tif 000016
【図６】
0006492067.tif 000017
【図７ａ】
0006492067.tif 000018
【図７ｂ】
0006492067.tif 000019
【図８】
0006492067.tif 000020
【図９】
0006492067.tif 000021
【図１０】
0006492067.tif 000022
【図１１】
0006492067.tif 000023
【図１２】
0006492067.tif 000024
【図１３】
0006492067.tif 000025
【図１４】
0006492067.tif 000026
【図１５】
0006492067.tif 000027
【図１６】
0006492067.tif 000028